(57)【要約】【課題】本発明は、排湿機能、排気機能、結露防止機能、防水機能、遮熱機能、断熱機能、等を有する通気壁構造に係るものである。【解決手段】外壁材Ａと壁下地α間に通気路γを形成した壁構造において、垂直平面状の固定面２０と、固定面２０の下端を外方に突出した水切り面２２と、水切り面２２の先端を下方に垂下した化粧面２３と、化粧面２３下端を内方に屈曲した通気面２４と、通気面２４に複数個形成した通気口２５を形成した通気水切りＭを、前記外壁材Ａ上下間の連結部分に形成すると共に、外壁材下端部と外壁材の軒天部を通気構造に形成した通気壁構造である。【選択図】図１
2009057744.tif 000002
【特許請求の範囲】
【請求項１】
外壁材と壁下地間に通気路を形成した壁構造において、垂直平面状の固定面と、該固定面の下端を外方に突出した水切り面と、該水切り面の先端を下方に垂下した化粧面と、該化粧面下端を内方に屈曲した通気面と、該通気面に複数個形成した通気口を形成した通気水切りを、前記外壁材上下間の連結部分に形成すると共に、外壁材下端部と外壁材の軒天部を通気構造に形成したことを特徴とする通気壁構造。
【発明の詳細な説明】
【技術分野】
【０００１】
本発明は、排湿機能、排気機能、結露防止機能、防水機能、遮熱機能、断熱機能、等を有する通気壁構造に係るものである。
【背景技術】
【０００２】
壁体内が密閉状態の場合、水蒸気の逃げ場が無く、外気温度が低いと外壁材裏面や壁体内に結露が発生する。そこで、壁体内の水蒸気を外気に排出して内部結露を防止したり、土台や柱にしみ込んだ水分を外気に排出するために、外壁材と躯体間に厚さ２０ｍｍ程度の空気層を設ける工法、所謂通気工法が開発された。本来、通気工法とは、壁内結露防止のための工法である。そこで、通気層と外気を連通するためにいろいろな水切り材が考え出されている。（例えば、特許文献１〜５参照）。
【０００３】
【特許文献１】特開平１０−００８５７８号公報
【特許文献２】特開２００１−０５５７９７号公報
【特許文献３】特開２００２−２３５３８３号公報
【特許文献４】特開２００２−３６４０８７号公報
【特許文献５】特開２００６−０７０４４７号公報
【発明の開示】
【発明が解決しようとする課題】
【０００４】
しかしながら、文献１〜５においては、外壁材が縦張りの場合の上下の繋ぎ目部分の通気構造には適用できないものであった。
【課題を解決するための手段】
【０００５】
本発明はこのような欠点を解決するために、外壁材と壁下地間に通気路を形成した壁構造において、垂直平面状の固定面と、該固定面の下端を外方に突出した水切り面と、該水切り面の先端を下方に垂下した化粧面と、該化粧面下端を内方に屈曲した通気面と、該通気面に複数個形成した通気口を形成した通気水切りを、前記外壁材上下間の連結部分に形成すると共に、外壁材下端部と外壁材の軒天部を通気構造に形成した通気壁構造を提供するものである。
【発明の効果】
【０００６】
本発明に係る通気壁構造によれば、
（１） 
壁内の湿気、汚染空気、廃熱、等を屋外に放出する排気機能を有する。
（２） 
縦張り外壁材の上下間の繋ぎ目部分に形成しても、通気路内の排気、吸気を阻害しない。
等の特徴、効果がある。
【発明を実施するための最良の形態】
【０００７】
以下に図面を用いて本発明に係る通気壁構造について詳細に説明する。図１（ａ）は本発明に係る通気壁構造を示す断面図、図１（ｂ）は本発明に係る通気壁構造の空気の流れを示す断面図、図２（ａ）、（ｂ）、図３、図４、図５は本発明に係る通気壁構造を示す断面図、図６（ａ）、（ｂ）は本発明に係る通気壁構造に使用する外壁材Ａの一例を示す説明図である。図中、Ｓは通気スターター、Ｍは通気水切り、Ｎは通気軒天、αは壁下地、βは釘等の固定具、γは通気路、γ１は排気エアを示している。排気エアγ１は湿気、汚染空気、廃熱、等で、屋外に排気されるべきものである。
【０００８】
壁下地αの一例としては、内装材１、ポリエチレンシート等の防湿層２（一点鎖線で示す）、主柱、間柱等の躯体３、躯体３間に形成したグラスウール等の断熱材４より形成したものである。なお、躯体３としては、木造軸組工法、木造枠組工法（ツーバイフォー工法）、あるいは鉄骨軸組工法、等である。
【０００９】
５は防風透湿層（二点鎖線で示す）であり、透湿防水シート（風・雨を通さず湿気だけを通す不織布）、あるいは透湿防水板（透湿性の高いシージングボード、シージングインシュレーションボード、等）よりなり、透湿性、防風性、防水性、等を有する部材より形成したものである。
【００１０】
６は通気路形成部材であり、図２（ａ）、（ｂ）に示すように木製の胴縁を横に一定ピッチで形成し、外壁材Ａの固定下地とするものであると共に、間隙６ａを形成し、横胴縁である通気路形成部材６間の空気の流通を阻害しないように、土台から軒まで連通下空間を形成するためのものである。通気路形成部材６の素材としては、木製、金属製、プラスティック製、等よりなるものである。
【００１１】
Ａは外壁材であり、遮熱性、断熱性、防水性、気密性、耐候性、等の機能を有する部材であり、例えば、図６（ａ）に示すような金属系外壁材、あるいは窯業系外壁材、等を使用するものである。
【００１２】
さらに詳説すると、外壁材Ａは表面材Ｂと芯材Ｃと裏面材Ｄとから一体に形成した金属系外壁材、あるいは窯業系外壁材であり、端部に雄雌連結構造を形成した長尺状板材（８尺、９．５尺、１０尺、１２尺、１２．５尺、１８尺、２４尺、３ｍ、３．８ｍ、４ｍ、６ｍ、等）である。図では縦張り用の外壁材Ａを使用した構造を示している。
【００１３】
金属系外壁材よりなる外壁材Ａの表面材Ｂと裏面材Ｄは金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したものである。
【００１４】
さらに、裏面材Ｄとしてはアルミニウム蒸着紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものである。
【００１５】
芯材Ｃは例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体Ｃ１からなるものであり、特に耐火性を必要とする場合にはレゾール型フェノールの原液と、硬化剤、発泡剤を混合し、表面材Ｂ、もしくは裏面材Ｄの裏面側に吐出させ、加熱して反応・発泡・硬化させて形成したものである。
【００１６】
また、芯材Ｃ中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。
【００１７】
合成樹脂発泡体Ｃ１は、夏には、従来の外壁材Ａとして窯業系外壁材を使用した時のように、昼の熱を蓄積し、夜間に放熱するようなことが無く、夏にはエアコンによる冷房の効率化を図り、冬には暖房の効率化が図られ、省エネルギーとコスト削減が図られるものである。これは、窯業系外壁材は比重が大きいために、蓄熱すると共に、熱を徐々に放熱する性状を有するのに対して、合成樹脂発泡体Ｃ１を芯材Ｃとして使用した本発明に係る通気壁構造で使用する外壁材Ａは、蓄熱することが無いために、夜間に熱を放出することが無く、快適な居住空間を形成すると共に、省エネルギーとコスト削減が図られるものである。
【００１８】
通気路γは、通気路形成部材６により、外壁材Ａと躯体α間に形成された空間である。
【００１９】
７は上開口、８は下開口であり、外壁材Ａにより形成された通気路γと連通し、屋内の湿気、汚染空気、廃熱、等の排気エアγ１を屋外に排出するための出口、あるいは入口として機能する部分である。
【００２０】
９は水切りであり、外壁材Ａの下端部を納めるための部材である。
【００２１】
１０は軒天板である。
【００２２】
通気スターターＳは図７（ａ）、（ｂ）に示すように、垂直平面状の固定部１１と、固定部１１の上端を外方に屈曲し先端を下方に垂下した舌片１２と、固定部１１の下端を外方に突出した底面１３と、底面１３の先端を下方に垂下した内面１４と、内面１４の下端を外方でかつ上方に傾斜して突出した下端面１５と、下端面１５の先端を上方に突出したカバー化粧面１６と、カバー化粧面１６先端に形成した舌片１７とから形成し、底面１３には通気口１８、下端面に流水口１９を一定ピッチで形成したものである。通気スターターＳは、外壁材Ａの下端部木口のカバー化粧材、通気路γを形成するための通気路γ形成材として機能すると共に、通気路γを形成した断面形状の外壁材Ａが耐風圧の負圧等に弱い弱点を、通気スターターＳを形成することにより、耐風圧での負圧に対しての強度を向上するために形成したものである。
【００２３】
固定部１１は通気スターターＳを壁下地αに固定具βにより固定する部分である。
【００２４】
下端面１５は、外方でかつ上方に傾斜して突出することにより、内部に浸入した雨水Ｒを流水口１９に速やかに流れ込むようにしたものである。
【００２５】
通気口１８は主に外壁材Ａの裏面に新鮮な空気を取り込み、駆体内部より排出される汚染された空気を外部に排出するために形成されたものである。流水口１９は、主に外壁材Ａと通気スターターＳのカバー化粧面１６間より浸入した雨水Ｒを点線矢印で示すように外部に排出するためのものである。
【００２６】
また、通気口１８、流水口１９の形成ピッチは３０〜３００ｍｍ位であり、形状・大きさは任意である。その素材としては、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種を押出成形、ロール成形、プレス成形、等によって各種形状に成形したものである。
【００２７】
通気水切りＭは図８（ａ）、（ｂ）に示すように、垂直平面状の固定面２０と、固定面２０の上端を内方に屈曲した舌片２１と、固定面２０の下端を外方に突出した水切り面２２と、水切り面２２の先端を下方に垂下した化粧面２３と、化粧面２３の下端を内方に屈曲すると共に上方に傾斜して突出した通気面２４と、通気面２４に複数個形成した通気口２５と、通気面２４の先端を上方に突出した当接面２６とから形成した長尺状板材である。
【００２８】
その素材としては、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種を押出成形、ロール成形、プレス成形、等によって各種形状に成形したものである。
【００２９】
通気水切りＭは図１（ａ）、（ｂ）、図３に示すように、外壁材Ａを縦張りして形成した際の、上下外壁材Ａの中間部分により、上下外壁材Ａの中間部分を綺麗に納めるために形成すると共に、通気が阻害されないように形成したものである。
【００３０】
固定面２０は通気水切りＭを壁下地αに固定具βにより固定する部分である。
【００３１】
通気面２４は、図８（ａ）、（ｂ）に示すように、化粧面２３の下端を内方に屈曲すると共に上方に傾斜して突出したものであり、傾斜して形成することにより、下段の外壁材Ａの上端の木口面をカバーする際に、スプリングバック機能を有して当接面２６が外壁材Ａの上端と接触することにより、施工性と美観性を向上するものである。
【００３２】
通気面２４に複数個形成した通気口２５は、主に外壁材Ａの裏面の汚染された空気、あるいは湿気を多く含んだ空気などを外部に排出するために形成されたものである。
【００３３】
通気軒天Ｎは、垂直平面状の固定面２７と、固定面２７の下端を内方に屈曲した舌片２８と、固定面２７の上端を外方に突出した上面２９と、上面２９の先端を下方に垂下した化粧面３０と、化粧面３０の下端を内方に屈曲すると共に上方に傾斜して突出した通気面３１と、通気面３１に複数個形成した通気口３２と、通気面３２の先端を上方に突出した当接面３３とから形成した長尺状板材である。
【００３４】
その素材としては、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種を押出成形、ロール成形、プレス成形、等によって各種形状に成形したものである。
【００３５】
固定面２７は通気軒天Ｎを壁下地αに固定具βにより固定する部分である。
【００３６】
通気面３１は、図９（ａ）、（ｂ）に示すように、化粧面３０の下端を内方に屈曲すると共に上方に傾斜して突出したものであり、傾斜して形成することにより、下段の外壁材Ａの上端の木口面をカバーする際に、スプリングバック機能を有して当接面３３が外壁材Ａの上端と接触することにより、施工性と美観性を向上するものである。
【００３７】
通気面３１に複数個形成した通気口３２は、主に外壁材Ａの裏面の汚染された空気、あるいは湿気を多く含んだ空気などを外部に排出するために形成されたものである。
【００３８】
以上説明したのは、本発明に係る通気壁構造の一実施例にすぎず、図７（ａ）〜（ｌ）〜図１３（ａ）〜（ｅ）に示すような通気スタータＳ、通気水切りＭ、通気軒天Ｎ、外壁材Ａを使用することができるものである。
【図面の簡単な説明】
【００３９】
【図１】本発明に係る通気壁構造の代表的一例を示す説明図である。
【図２】本発明に係る通気壁構造の代表的一例を示す説明図である。
【図３】本発明に係る通気壁構造の代表的一例を示す説明図である。
【図４】本発明に係る通気壁構造の代表的一例を示す説明図である。
【図５】本発明に係る通気壁構造の代表的一例を示す説明図である。
【図６】本発明に係る通気壁構造に使用する外壁材の代表的一例を示す説明図である。
【図７】本発明に係る通気壁構造に使用する通気スターターの代表的一例を示す説明図である。
【図８】本発明に係る通気壁構造に使用する通気水切りの代表例を示す説明図である。
【図９】本発明に係る通気壁構造に使用する通気軒天の代表例を示す説明図である。
【図１０】本発明に係る通気壁構造に使用する通気スタータのその他の実施例を示す説明図である。
【図１１】本発明に係る通気壁構造に使用する通気水切りのその他の実施例を示す説明図である。
【図１２】本発明に係る通気壁構造に使用する通気軒天のその他の実施例を示す説明図である。
【図１３】本発明に係る通気壁構造に使用する外壁材のその他の実施例を示す説明図である。
【符号の説明】
【００４０】
α  壁下地
β  固定具
γ  通気路
γ１  排気エア
Ａ  外壁材
Ｂ  表面材
Ｃ  芯材
Ｃ１  合成樹脂発泡体
Ｄ  裏面材
Ｍ  通気水切り
Ｎ  通気軒天
Ｒ  雨水
Ｓ  通気スターター
１  内装材
２  防湿層
３  躯体
４  断熱材
５  防風透湿層
６  通気路形成部材
６ａ  間隙
７  上開口
８  下開口
９  水切り
１０  軒天板
１１  固定部
１２  舌片
１３  底面
１４  内面
１５  下端面
１６  カバー化粧面
１７  舌片
１８  通気口
１９  流水口
２０  固定面
２１  舌片
２２  水切り面
２３  化粧面
２４  通気面
２５  通気口
２６  当接面
２７  固定面
２８  舌片
２９  上面
３０  化粧面
３１  通気面
３２  通気口
３３  当接面
【図１】
2009057744.tif 000003
【図２】
2009057744.tif 000004
【図３】
2009057744.tif 000005
【図４】
2009057744.tif 000006
【図５】
2009057744.tif 000007
【図６】
2009057744.tif 000008
【図７】
2009057744.tif 000009
【図８】
2009057744.tif 000010
【図９】
2009057744.tif 000011
【図１０】
2009057744.tif 000012
【図１１】
2009057744.tif 000013
【図１２】
2009057744.tif 000014
【図１３】
2009057744.tif 000015